(57)【特許請求の範囲】
【請求項１】
少なくとも２つの無線通信デバイスに関連付けられたネットワークノードによって実行される、無線ベース媒体上でのパケット送信をスケジュールする方法であって、
受信信号レベルを推定することにより前記無線ベース媒体を検知するステップ（Ｓ１）を含み、
前記少なくとも２つの無線通信デバイスのそれぞれは、前記無線ベース媒体が送信のためにアクセス可能かを判定するための、各個別のデバイス毎閾値に関連づけられており、
前記方法は、さらに、
前記少なくとも２つの無線通信デバイスそれぞれについて、前記受信信号レベルと、考慮対象の無線通信デバイスに関連付けられた前記デバイス毎閾値とを比較することに基づき、前記無線ベース媒体が送信のためにアクセス可能かを評価するステップ（Ｓ２）と、
前記少なくとも２つの無線通信デバイスそれぞれについて、前記無線ベース媒体が送信のためにアクセス可能かの前記評価に基づき、前記無線ベース媒体上でのパケットの送信をスケジューリングするステップ（Ｓ３）と、を含み、
前記少なくとも２つの無線通信デバイスの無線通信デバイスに関連付けられた前記デバイス毎閾値は、デバイス特定情報に基づき決定され、
前記デバイス特定情報は、前記ネットワークノードが送信し当該無線通信デバイスにより受信された受信信号強度と、当該無線通信デバイスが送信し前記ネットワークノードにより受信された受信信号強度と、当該無線通信デバイスの地理的位置の表示と、干渉源の地理的位置の表示と、当該無線通信デバイスへの目標スループットと、前記ネットワークノードと当該無線通信デバイスとの間の通信リンクの品質と、のうちの少なくとも１つを含む、方法。
【請求項２】
少なくとも２つの無線通信デバイスに関連付けられたネットワークノードによって実行される、無線ベース媒体へのアクセスを割り当てる方法であって、
受信信号レベルを推定することにより前記無線ベース媒体を検知するステップ（Ｓ１１）を含み、
前記少なくとも２つの無線通信デバイスのそれぞれは、前記無線ベース媒体が送信のためにアクセス可能かを判定するための、各個別のデバイス毎閾値に関連づけられており、
前記方法は、さらに、
前記少なくとも２つの無線通信デバイスそれぞれについて、前記受信信号レベルと、考慮対象の無線通信デバイスに関連付けられた前記デバイス毎閾値とを比較することに基づき、前記無線ベース媒体が送信のためにアクセス可能かを判定するステップ（Ｓ１２）と、
前記少なくとも２つの無線通信デバイスそれぞれについて、前記無線ベース媒体が送信のためにアクセス可能かの前記判定に基づき、前記無線通信デバイスの選択した１つのための前記無線ベース媒体へのアクセスを割り当てるステップ（Ｓ１３）と、を含み、
前記少なくとも２つの無線通信デバイスの無線通信デバイスに関連付けられた前記デバイス毎閾値は、デバイス特定情報に基づき決定され、
前記デバイス特定情報は、前記ネットワークノードが送信し当該無線通信デバイスにより受信された受信信号強度と、当該無線通信デバイスが送信し前記ネットワークノードにより受信された受信信号強度と、当該無線通信デバイスの地理的位置の表示と、干渉源の地理的位置の表示と、当該無線通信デバイスへの目標スループットと、前記ネットワークノードと当該無線通信デバイスとの間の通信リンクの品質と、のうちの少なくとも１つを含む、方法。
【請求項３】
請求項１又は２に記載の方法であって、
前記無線ベース媒体は、前記受信信号レベルが前記デバイス毎閾値を超えていないと、送信のためにアクセス可能と判定される、方法。
【請求項４】
請求項１から３のいずれか１項に記載の方法であって、
前記デバイス毎閾値は、空きチャネル評価閾値である、方法。
【請求項５】
請求項１から４のいずれか１項に記載の方法であって、
前記ネットワークノードは、前記無線ベース媒体が送信のためにアクセス可能であると判定された無線通信デバイスのためのパケット送信をスケジュールする、或いは、前記無線ベース媒体が送信のためにアクセス可能であると判定された無線通信デバイスのための前記無線ベース媒体へのアクセスを割り当てる、方法。
【請求項６】
請求項１から５のいずれか１項に記載の方法であって、
前記無線ベース媒体は、検知期間に検知され、アクセスは、前記検知期間に続く送信期間の間に前記無線通信デバイスの選択された１つのために許可される、方法。
【請求項７】
請求項１から６のいずれか１項に記載の方法であって、
前記無線ベース媒体へのアクセスは、リッスンビフォアトーク（ＬＢＴ）媒体アクセス手順に基づき、前記スケジューリングするステップ又は前記割り当てるステップは、前記無線通信デバイスの個別の空きチャネル評価閾値（ＣＣＡＴ）での媒体又はチャネル検知に基づき実行される、方法。
【請求項８】
請求項７に記載の方法であって、
前記ネットワークノードは、各関連付けられた無線通信デバイスそれぞれに、デバイス毎空きチャネル評価閾値（ＣＣＡＴ）である、個別のＣＣＡＴを提供する、方法。
【請求項９】
請求項８に記載の方法であって、
前記ネットワークノードは、前記無線通信デバイスそれぞれのために、前記無線通信デバイスのＣＣＡＴ構成を有するデータベースから前記デバイス毎ＣＣＡＴを読み出す、方法。
【請求項１０】
請求項７から９のいずれか１項に記載の方法であって、
前記個別のデバイス毎ＣＣＡＴは、デバイス特定情報に基づき判定又は調整される、方法。
【請求項１１】
請求項１から１０のいずれか１項に記載の方法であって、
前記ネットワークノードは、スケジューリングノード、アクセスポイント、又は、基地局である、方法。
【請求項１２】
請求項１から１１のいずれか１項に記載の方法であって、
前記方法は、無線ローカルエリアネットワーク（ＷＬＡＮ）、セルラ通信ネットワーク、又は、それらの両方で実行される、方法。
【請求項１３】
請求項１から１２のいずれか１項に記載の方法であって、
前記方法は、下りリンク通信で実行される、方法。
【請求項１４】
請求項１から１３のいずれか１項に記載の方法であって、
前記ネットワークノードは、前記無線通信デバイスの識別子を示す情報を含む要求を、デバイス毎閾値を保持するデータベースに送信し、対応するデバイス毎閾値を含む応答を受信することにより、前記無線通信デバイスそれぞれについての、前記デバイス毎閾値を読み出す、方法。
【請求項１５】
請求項１から１４のいずれか１項に記載の方法であって、
前記評価するステップ（Ｓ２）又は前記判定するステップ（Ｓ１２）は、前記少なくとも２つの無線通信デバイスそれぞれのために、前記無線ベース媒体が、前記無線通信デバイスへの送信のためにアクセス可能かを判定するために実行される、方法。
【請求項１６】
請求項２に記載の方法であって、
前記無線ベース媒体へのアクセスは、前記少なくとも２つの無線通信デバイスそれぞれについて、前記無線ベース媒体が、送信のためにアクセス可能かの前記判定に基づき、前記無線通信デバイスの選択した１つへの送信のために割り当てられる、方法。
【請求項１７】
少なくとも２つの無線通信デバイス（１０−１、１０−２、・・・１０−Ｎ）に関連付けられたネットワークノードの装置（１００、２００）であって、前記装置は、無線ベース媒体上でのパケット送信をスケジュールする様に構成され、
前記装置（１００、２００）は、受信信号レベルを推定することにより前記無線ベース媒体を検知する様に構成され、
前記少なくとも２つの無線通信デバイスのそれぞれは、前記無線ベース媒体が、送信のためにアクセス可能かの判定のために、各個別のデバイス毎閾値に関連付けられており、
前記装置（１００、２００）は、前記少なくとも２つの無線通信デバイスそれぞれについて、前記受信信号レベルと、考慮対象の無線通信デバイスに関連付けられた前記デバイス毎閾値とを比較することに基づき、前記無線ベース媒体が、送信のためにアクセス可能かを評価する様に構成され、
前記装置（１００、２００）は、前記少なくとも２つの無線通信デバイスそれぞれについて、前記無線ベース媒体が、送信のためにアクセス可能かの前記評価に基づき、前記無線ベース媒体上でのパケットの送信をスケジューリングする様にさらに構成され、
前記少なくとも２つの無線通信デバイスの無線通信デバイスに関連付けられた前記デバイス毎閾値は、デバイス特定情報に基づき決定され、
前記デバイス特定情報は、前記ネットワークノードが送信し当該無線通信デバイスにより受信された受信信号強度と、当該無線通信デバイスが送信し前記ネットワークノードにより受信された受信信号強度と、当該無線通信デバイスの地理的位置の表示と、干渉源の地理的位置の表示と、当該無線通信デバイスへの目標スループットと、前記ネットワークノードと当該無線通信デバイスとの間の通信リンクの品質と、のうちの少なくとも１つを含む、装置。
【請求項１８】
少なくとも２つの無線通信デバイス（１０−１、１０−２、・・・）に関連付けられたネットワークノードの装置（１００、３００）であって、前記装置は、無線ベース媒体へのアクセスを割り当てる様に構成され、
前記装置（１００、３００）は、受信信号レベルを推定することにより前記無線ベース媒体を検知する様に構成され、
前記少なくとも２つの無線通信デバイスのそれぞれは、前記無線ベース媒体が、送信のためにアクセス可能かの判定のために、各個別のデバイス毎閾値に関連付けられており、
前記装置（１００、３００）は、前記少なくとも２つの無線通信デバイスそれぞれについて、前記受信信号レベルと、考慮対象の無線通信デバイスに関連付けられた前記デバイス毎閾値とを比較することに基づき、前記無線ベース媒体が、送信のためにアクセス可能かを判定する様に構成され、
前記装置（１００、３００）は、前記少なくとも２つの無線通信デバイスそれぞれについて、前記無線ベース媒体が、送信のためにアクセス可能かの前記判定に基づき、前記無線通信デバイスの選択した１つのための前記無線ベース媒体へのそのときのアクセスを割り当てる様にさらに構成され、
前記少なくとも２つの無線通信デバイスの無線通信デバイスに関連付けられた前記デバイス毎閾値は、デバイス特定情報に基づき決定され、
前記デバイス特定情報は、前記ネットワークノードが送信し当該無線通信デバイスにより受信された受信信号強度と、当該無線通信デバイスが送信し前記ネットワークノードにより受信された受信信号強度と、当該無線通信デバイスの地理的位置の表示と、干渉源の地理的位置の表示と、当該無線通信デバイスへの目標スループットと、前記ネットワークノードと当該無線通信デバイスとの間の通信リンクの品質と、のうちの少なくとも１つを含む、装置。
【請求項１９】
請求項１７又は１８に記載の装置であって、
前記装置は、リッスンビフォアトーク（ＬＢＴ）媒体アクセス手順に基づき媒体アクセスを実行する様に構成され、前記無線通信デバイスの個別の空きチャネル評価閾値（ＣＣＡＴ）での媒体又はチャネル検知に基づきスケジューリング又はアクセスの割り当てを実行する様に構成される、装置。
【請求項２０】
請求項１９に記載の装置であって、
前記装置は、各関連付けられた無線通信デバイスそれぞれについて、デバイス毎空きチャネル評価閾値（ＣＣＡＴ）である、個別のＣＣＡＴを維持するデータベースに接続して動作する様に構成される、装置。
【請求項２１】
請求項２０に記載の装置であって、
前記装置は、前記無線通信デバイスそれぞれのために、前記無線通信デバイスのＣＣＡＴ構成を有するデータベースから前記デバイス毎ＣＣＡＴを読み出す様に構成される、装置。
【請求項２２】
請求項１９から２１のいずれか１項に記載の装置であって、
前記装置は、デバイス特定情報に基づき個別のデバイス毎ＣＣＡＴを判定又は調整する様に構成される、装置。
【請求項２３】
請求項１７から２２のいずれか１項に記載の装置であって、
前記装置は、前記無線通信デバイスそれぞれについて、デバイス毎閾値を保持するデータベースに対応する要求を送信し、前記デバイス毎閾値を含む応答を受信する様に構成される、装置。
【請求項２４】
請求項１７から２３のいずれか１項に記載の装置であって、
前記装置は、プロセッサ（１１０）と、メモリ（１２０）と、を有し、
前記メモリ（１２０）は、前記プロセッサ（１１０）により実行可能な命令を含み、前記プロセッサ（１１０）は、前記無線ベース媒体へのパケット送信のスケジューリング又はアクセス割り当てを行う様に動作する、装置。
【請求項２５】
請求項１７から２４のいずれか１項に記載の装置であって、
前記装置は、前記少なくとも２つの無線通信デバイスそれぞれについて、前記無線ベース媒体が、前記無線通信デバイスへの送信のためにアクセス可能かを評価又は判定する様に構成される、装置。
【請求項２６】
請求項１７から２５のいずれか１項に記載の装置であって、
前記装置は、前記無線通信デバイスの選択した１つへの送信のために前記無線ベース媒体へのアクセスを割り当てる様に構成される、装置。
【請求項２７】
請求項１７から２６のいずれか１項に記載の装置を含むネットワークノード。
【請求項２８】
請求項２７に記載のネットワークノードであって、
前記ネットワークノードは、スケジューリングノード、アクセスポイント、又は、無線基地局である、ネットワークノード。
【請求項２９】
命令を含むコンピュータプログラム（１２５、１３５）であって、前記命令は、少なくとも１つのプロセッサ（１１０）で実行されると、前記少なくとも１つのプロセッサ（１１０）に、
無線ベース媒体を検知することで取得した、推定受信信号レベルを示す情報を読み出すことを実行させ、
前記少なくとも２つの無線通信デバイスのそれぞれは、前記無線ベース媒体が送信のためにアクセス可能かを判定するための、各個別のデバイス毎閾値に関連づけられており、
前記コンピュータプログラム（１２５、１３５）は、さらに、前記少なくとも１つのプロセッサ（１１０）で実行されると、前記少なくとも１つのプロセッサ（１１０）に、
少なくとも２つの無線通信デバイス（１０−１、１０−２、...）それぞれについて、前記受信信号レベルと、考慮対象の無線通信デバイスに関連付けられた前記デバイス毎閾値とを比較することに基づき、前記無線ベース媒体が、送信のためにアクセスが可能かを評価することと、
前記少なくとも２つの無線通信デバイスそれぞれについて、前記無線ベース媒体が、送信のためにアクセスが可能かの前記評価に基づき、前記無線ベース媒体上でのパケットの送信をスケジューリングすることと、を行わせる命令をさらに含み、
前記少なくとも２つの無線通信デバイスの無線通信デバイスに関連付けられた前記デバイス毎閾値は、デバイス特定情報に基づき決定され、
前記デバイス特定情報は、ネットワークノードが送信し当該無線通信デバイスにより受信された受信信号強度と、当該無線通信デバイスが送信し前記ネットワークノードにより受信された受信信号強度と、当該無線通信デバイスの地理的位置の表示と、干渉源の地理的位置の表示と、当該無線通信デバイスへの目標スループットと、前記ネットワークノードと当該無線通信デバイスとの間の通信リンクの品質と、のうちの少なくとも１つを含む、コンピュータプログラム。
【請求項３０】
命令を含むコンピュータプログラム（１２５、１３５）であって、前記命令は、少なくとも１つのプロセッサ（１１０）で実行されると、前記少なくとも１つのプロセッサ（１１０）に、
無線ベース媒体を検知することで取得した、推定受信信号レベルを示す情報を読み出すことを実行させ、
前記少なくとも２つの無線通信デバイスのそれぞれは、前記無線ベース媒体が送信のためにアクセス可能かを判定するための、各個別のデバイス毎閾値に関連づけられており、
前記コンピュータプログラム（１２５、１３５）は、さらに、前記少なくとも１つのプロセッサ（１１０）で実行されると、前記少なくとも１つのプロセッサ（１１０）に、
少なくとも２つの無線通信デバイス（１０−１、１０−２、...）それぞれについて、前記受信信号レベルと、考慮対象の無線通信デバイスに関連付けられた前記デバイス毎閾値とを比較することに基づき、前記無線ベース媒体が、送信のためにアクセスが可能かを判定することと、
前記少なくとも２つの無線通信デバイスそれぞれについて、前記無線ベース媒体が、送信のためにアクセスが可能かの前記判定に基づき、前記無線通信デバイスの選択した１つのための前記無線ベース媒体へのアクセスを割り当てることと、を行わせる命令をさらに含み、
前記少なくとも２つの無線通信デバイスの無線通信デバイスに関連付けられた前記デバイス毎閾値は、デバイス特定情報に基づき決定され、
前記デバイス特定情報は、ネットワークノードが送信し当該無線通信デバイスにより受信された受信信号強度と、当該無線通信デバイスが送信し前記ネットワークノードにより受信された受信信号強度と、当該無線通信デバイスの地理的位置の表示と、干渉源の地理的位置の表示と、当該無線通信デバイスへの目標スループットと、前記ネットワークノードと当該無線通信デバイスとの間の通信リンクの品質と、のうちの少なくとも１つを含む、コンピュータプログラム。
【請求項３１】
請求項２９又は３０に記載のコンピュータプログラム（１２５、１３５）を含む、コンピュータ可読記憶媒体（１２０、１３０）。
【請求項３２】
無線ベース媒体上でのパケット送信をスケジュールするため、少なくとも２つの無線通信デバイスに関連付けられる様に構成されたネットワークノード（２００）であって、
前記無線ベース媒体を検知することで取得した、推定受信信号レベルを示す情報を読み出す読出しモジュール（２１０）を、備えており、
前記少なくとも２つの無線通信デバイスのそれぞれは、前記無線ベース媒体が送信のためにアクセス可能かを判定するための、各個別のデバイス毎閾値に関連づけられており、
前記ネットワークノードは、
前記少なくとも２つの無線通信デバイスそれぞれについて、前記受信信号レベルと、考慮対象の無線通信デバイスに関連付けられた前記デバイス毎閾値とを比較することに基づき、前記無線ベース媒体が、送信のためにアクセス可能かを評価する評価モジュール（２２０）と、 
前記少なくとも２つの無線通信デバイスそれぞれについて、前記無線ベース媒体が、送信のためにアクセス可能かの前記評価に基づき、前記無線ベース媒体上でのパケットの送信をスケジューリングするスケジューリングモジュール（２３０）と、をさらに備え、
前記少なくとも２つの無線通信デバイスの無線通信デバイスに関連付けられた前記デバイス毎閾値は、デバイス特定情報に基づき決定され、
前記デバイス特定情報は、前記ネットワークノードが送信し当該無線通信デバイスにより受信された受信信号強度と、当該無線通信デバイスが送信し前記ネットワークノードにより受信された受信信号強度と、当該無線通信デバイスの地理的位置の表示と、干渉源の地理的位置の表示と、当該無線通信デバイスへの目標スループットと、前記ネットワークノードと当該無線通信デバイスとの間の通信リンクの品質と、のうちの少なくとも１つを含む、ネットワークノード。
【請求項３３】
無線ベース媒体上へのアクセスを割り当てるため、少なくとも２つの無線通信デバイス（１０−１、１０−２...）に関連付けられる様に構成されたネットワークノード（３００）であって、
前記無線ベース媒体を検知することで取得した、推定受信信号レベルを示す情報を読み出す読出しモジュール（３１０）を、備えており、
前記少なくとも２つの無線通信デバイスのそれぞれは、前記無線ベース媒体が送信のためにアクセス可能かを判定するための、各個別のデバイス毎閾値に関連づけられており、
前記ネットワークノードは、
前記少なくとも２つの無線通信デバイスそれぞれについて、前記受信信号レベルと、考慮対象の無線通信デバイスに関連付けられた前記デバイス毎閾値とを比較することに基づき、前記無線ベース媒体が、送信のためにアクセス可能かを判定する判定モジュール（３２０）と、
前記少なくとも２つの無線通信デバイスそれぞれについて、前記無線ベース媒体が、送信のためにアクセス可能かの前記判定に基づき、前記無線通信デバイスの選択した１つのための前記無線ベース媒体へのアクセスを割り当てる割当てモジュール（３３０）と、をさらに備え、
前記少なくとも２つの無線通信デバイスの無線通信デバイスに関連付けられた前記デバイス毎閾値は、デバイス特定情報に基づき決定され、
前記デバイス特定情報は、前記ネットワークノードが送信し当該無線通信デバイスにより受信された受信信号強度と、当該無線通信デバイスが送信し前記ネットワークノードにより受信された受信信号強度と、当該無線通信デバイスの地理的位置の表示と、干渉源の地理的位置の表示と、当該無線通信デバイスへの目標スループットと、前記ネットワークノードと当該無線通信デバイスとの間の通信リンクの品質と、のうちの少なくとも１つを含む、ネットワークノード。
【発明の詳細な説明】
【技術分野】
【０００１】
提案技術は、概して、無線通信ネットワークの無線媒体アクセス及び／又はスケジューリングに関し、より詳しくは、無線ベース媒体上でのパケット送信のスケジューリング方法、無線ベース媒体へのアクセス割り当て方法、並びに、対応する装置、ネットワークノード、コンピュータプログラム及びコンピュータプログラム製品に関する。
【背景技術】
【０００２】
一般に、媒体アクセス及び／又はスケジューリングは、通信ネットワークの運用及びパフォーマンスにとって最も重大である。
【０００３】
衝突ベースのプロトコルは、事前調整無しに、或いは、少しの事前調整で、多くのユーザが同じ無線ベース媒体を使用することを可能にする、無線通信装置を動作させるための通信プロトコル、かつ、媒体アクセスのための通信プロトコルである。
【０００４】
リッスンビフォアトーク（Ｌｉｓｔｅｎ  Ｂｅｆｏｒｅ  Ｔａｌｋ：ＬＢＴ）は、リッスンビフォアトランスミット（Ｌｉｓｔｅｎ  Ｂｅｆｏｒｅ  Ｔｒａｎｓｍｉｔ）とも呼ばれ、無線通信で使用される媒体アクセスのための衝突ベース手順の例であり、そこでは、無線送信装置は、送信を開始する前に、その無線環境、つまり、無線ベース媒体又はチャネルの検知を行う。リッスンビフォアトークは、送信前検知としても参照される。ＩＥＥＥ８０２.１１のＬＢＴ動作手順は、最も良く知られている衝突ベースプロトコルの１つである。
【０００５】
例えば、キャリア検知多重アクセス（ＣＳＭＡ）は、媒体アクセス制御（ＭＡＣ）プロトコルであり、ノードは、電気バス又は電磁スペクトラム帯域の様な、共用伝送媒体上での送信前に、他のトラフィックが存在していないことを確認する。
【０００６】
キャリア検知は、送信の開始前に、他の送信が進行中であるかを判定するために、送信装置が受信装置からのフィードバックを使用することを意味する。つまり、局は、送信を試みる前に、他の局からの送信や、搬送波の存在の検出を試みる。送信／キャリアが検知されると、局は、自身の送信を開始する前に、進行中の送信が終わるのを待つ。言い換えると、ＣＳＭＡもＬＢＴに基づくものである。多重アクセスは、複数の局が、同じ媒体で送信及び／又は受信を行うことを意味する。
【０００７】
ＬＢＴは、アンライセンスドスペクトラムで動作するＬＴＥの様な、セルラ通信システムでの使用も提案されている。
【０００８】
特許文献１は、無線通信ネットワークの衝突アクセス期間の間の複数の同時に生じる送信のスケジューリングを行う方法及びシステムに関する。ピコネット内の通信デバイスは、当該ピコネットの隣接マップを導出する様に動作可能である。隣接マップ情報は、複数のデバイスが、所定のチャネル時間割り当てタイムスロットの間に同時に信号を送信することを可能にし得る。隣接マップ情報は、個々のデバイスが、空きチャネル評価閾値を設定することを可能にし得る。個々のデバイスは、１つ以上の宛先デバイスに信号を送信するとき、及び／又は、当該信号を介してどのデータレートで送信するかを判定するために閾値情報を利用し得る。
【０００９】
特許文献２は、無線デバイスが、無線周波数帯のチャネルで動作する無線ネットワークに送信するときに使用される、空きチャネル評価閾値を適応的に調整する技術に関する。第１無線デバイスは、無線通信ネットワーク内において、１つ以上の第２無線デバイスと無線で通信する様に構成され、周波数帯のチャネルでエネルギーを受信し、チャネル上の干渉を検出するために受信したエネルギーを分析し、受信したエネルギーで検出した干渉の種別を判定する。空きチャネル評価閾値は、検出された干渉の種別に応じた量だけ調整される。
【００１０】
特許文献３は、無線通信ネットワークのノードにおいて、空きチャネル評価閾値を適応させる方法と、対応するシステムに関し、そこでは、ノードが、第１閾値を使用する様に設定されると、無線ネットワークの当該ノード及び隣接ノードの、成功する第１送信レートを決定する。続いて、当該ノードが第２閾値を使用する様に設定されると、当該ノード及び隣接ノードの成功する第２送信レートを決定する。その後、第１及び第２空きチャネル評価閾値（ＣＣＡＴ）の１つが、成功する第１及び第２送信レートに基づき選択される。
【先行技術文献】
【特許文献】
【００１１】
【特許文献１】米国特許出願公開第２０１０／２２６３４４号明細書
【特許文献２】米国特許出願公開第２０１３／０１７７９４号明細書
【特許文献３】米国特許出願公開第２００７／２８６１２２号明細書
【発明の概要】
【発明が解決しようとする課題】
【００１２】
しかしながら、より高いシステム効率、及び／又は、より良いユーザ品質を提供するため、ＬＢＴベース媒体アクセスの様な、従来の媒体アクセス手順を完了する一般的な必要性が存在する。
【課題を解決するための手段】
【００１３】
無線ベース媒体又はチャネルをより適切に利用し、アクセス時間を増加させることにより無線ベース媒体の効率的な利用を提供することを目的とする。
【００１４】
無線通信ネットワークにおける改良された無線媒体アクセス方法及び／又は改良されたスケジューリングを提供することが望ましい。
【００１５】
無線ベース媒体上でのパケット送信のスケジューリング方法を提供することを目的とする。
【００１６】
無線ベース媒体へのアクセス割り当て方法を提供することも目的とする。
【００１７】
別の目的は、少なくとも２つの無線通信デバイスに関係付けられたネットワークノードのための装置を提供することであり、装置は、無線ベース媒体上でのパケット送信のスケジューリングを行う様に構成される。
【００１８】
さらに別の目的は、少なくとも２つの無線通信デバイスに関係付けられたネットワークノードのための装置を提供することであり、装置は、無線ベース媒体へのアクセスを割り当てる様に構成される。
【００１９】
対応するネットワークノードを提供することも目的である。
【００２０】
さらに別の目的は、対応するコンピュータプログラム及び／又はコンピュータプログラム製品を提供することである。
【００２１】
これら及び他の目的の少なくとも１つは、提案技術の少なくとも１つの実施形態により行われる。
【００２２】
第１の態様によると、少なくとも２つの無線通信デバイスに関連付けられたネットワークノードによって実行される、無線ベース媒体上でのパケット送信のスケジューリング方法が提供され、前記方法は、
受信信号レベルを推定することにより無線ベース媒体を検知するステップと、
少なくとも２つの無線通信デバイスそれぞれのために、受信信号レベルと、考慮対象の無線通信デバイスに関連付けられたそれぞれの閾値とを比較することに基づき、無線ベース媒体が、送信のためにアクセス可能、或いは、空いているかを評価するステップと、
少なくとも２つの無線通信デバイスそれぞれについて、無線ベース媒体が、送信のためにアクセス可能、或いは、空いているかの評価に基づき、無線ベース媒体上でのパケットの送信をスケジューリングするステップと、を含む。
【００２３】
第２の態様によると、少なくとも２つの無線通信デバイスに関連付けられたネットワークノードによって実行される、無線ベース媒体へのアクセスの割り当て方法が提供され、前記方法は、
受信信号レベルを推定することにより無線ベース媒体を検知するステップと、
少なくとも２つの無線通信デバイスそれぞれのために、受信信号レベルと、考慮対象の無線通信デバイスに関連付けられたそれぞれの閾値とを比較することに基づき、無線ベース媒体が、送信のためにアクセス可能、或いは、空いているかを判定するステップと、
少なくとも２つの無線通信デバイスそれぞれについて、無線ベース媒体が、送信のためにアクセス可能、或いは、空いているかの判定に基づき、無線通信デバイスの選択した１つのための無線ベース媒体へのアクセスを割り当てるステップと、を含む。
【００２４】
第３の態様によると、少なくとも２つの無線通信デバイスに関連付けられたネットワークノードの装置であって、無線ベース媒体上でのパケット送信をスケジュールする様に構成され装置が提供される。装置は、受信信号レベルを推定することにより無線ベース媒体を検知する様に構成される。装置は、少なくとも２つの無線通信デバイスそれぞれのために、受信信号レベルと、考慮対象の無線通信デバイスに関連付けられたそれぞれの閾値とを比較することに基づき、無線ベース媒体が、送信のためにアクセス可能、或いは、空いているかを評価する様に構成される。装置は、少なくとも２つの無線通信デバイスのそれぞれについて、無線ベース媒体が、送信のためにアクセス可能、或いは、空いているかの評価に基づき、無線ベース媒体上でのパケットの送信をスケジューリングする様に更に構成される。
【００２５】
第４の態様によると、少なくとも２つの無線通信デバイスに関連付けられたネットワークノードの装置であって、無線ベース媒体へのアクセスを割り当てる様に構成された装置が提供される。装置は、受信信号レベルを推定することにより無線ベース媒体を検知する様に構成される。装置は、少なくとも２つの無線通信デバイスそれぞれのために、受信信号レベルと、考慮対象の無線通信デバイスに関連付けられたそれぞれの閾値とを比較することに基づき、無線ベース媒体が、送信のためにアクセス可能、或いは、空いているかを判定する様に構成される。装置は、少なくとも２つの無線通信デバイスのそれぞれについて、無線ベース媒体が、送信のためにアクセス可能、或いは、空いているかの判定に基づき、無線通信デバイスの選択した１つのための無線ベース媒体へのそのときのアクセスを割り当てる様に更に構成される。
【００２６】
第５の態様によると、第３の態様による装置を含むネットワークノードが提供される。
【００２７】
第６の態様によると、第４の態様による装置を含むネットワークノードが提供される。
【００２８】
第７の態様によると、命令を含むコンピュータプログラムが提供され、命令は、少なくとも１つのプロセッサで実行されると、少なくとも１つのプロセッサに、
無線ベース媒体を検知することで取得した、推定受信信号レベルを示す情報を読み出すことと、
少なくとも２つの無線通信デバイスそれぞれのために、受信信号レベルと、考慮対象の無線通信デバイスに関連付けられたそれぞれの閾値とを比較することに基づき、無線ベース媒体が、送信のためにアクセス可能、或いは、空いているかを評価することと、
少なくとも２つの無線通信デバイスそれぞれについて、無線ベース媒体が、送信のためにアクセス可能、或いは、空いているかの評価に基づき、無線ベース媒体上でのパケットの送信をスケジューリングすることと、を行わせる。
【００２９】
第８の態様によると、命令を含むコンピュータプログラムが提供され、命令は、少なくとも１つのプロセッサで実行されると、少なくとも１つのプロセッサに、
無線ベース媒体を検知することで取得した、推定受信信号レベルを示す情報を読み出すことと、
少なくとも２つの無線通信デバイスそれぞれのために、受信信号レベルと、考慮対象の無線通信デバイスに関連付けられたそれぞれの閾値とを比較することに基づき、無線ベース媒体が、送信のためにアクセス可能、或いは、空いているかを判定することと、
少なくとも２つの無線通信デバイスそれぞれについて、無線ベース媒体が、送信のためにアクセス可能、或いは、空いているかの判定に基づき、無線通信デバイスの選択した１つのための無線ベース媒体へのアクセスを割り当てることと、を行わせる。
【００３０】
第９の態様によると、第７の態様又は第８の態様によるコンピュータプログラムを含む媒体が提供される。
【００３１】
第１０の態様によると、無線ベース媒体上でのパケット送信をスケジュールするための、少なくとも２つの無線通信デバイスに関連付けられる様に構成されたネットワークノードが提供される。ネットワークノードは、
無線ベース媒体を検知することで取得した、推定受信信号レベルを示す情報を読み出す読出しモジュールと、
少なくとも２つの無線通信デバイスそれぞれのために、受信信号レベルと、考慮対象の無線通信デバイスに関連付けられたそれぞれの閾値とを比較することに基づき、無線ベース媒体が、送信のためにアクセス可能、或いは、空いているかを評価する評価モジュールと、
少なくとも２つの無線通信デバイスそれぞれについて、無線ベース媒体が、送信のためにアクセス可能、或いは、空いているかの評価に基づき、無線ベース媒体上でのパケットの送信をスケジューリングするスケジューリングモジュールと、を備えている。
【００３２】
第１１の態様によると、無線ベース媒体へのアクセスを割り当てるための、少なくとも２つの無線通信デバイスに関連付けられる様に構成されたネットワークノードが提供される。ネットワークノードは、
無線ベース媒体を検知することで取得した、推定受信信号レベルを示す情報を読み出す読出しモジュールと、
少なくとも２つの無線通信デバイスそれぞれのために、受信信号レベルと、考慮対象の無線通信デバイスに関連付けられたそれぞれの閾値とを比較することに基づき、無線ベース媒体が、送信のためにアクセス可能、或いは、空いているかを判定する判定モジュールと、
少なくとも２つの無線通信デバイスそれぞれについて、無線ベース媒体が、送信のためにアクセス可能、或いは、空いているかの判定に基づき、無線通信デバイスの選択した１つのための無線ベース媒体へのアクセスを割り当てる割当てモジュールと、を備えている。
【００３３】
提案技術の利点は、リソースの利用が改良されることである。ネットワークノードは、無線ベース媒体へのアクセスを割り当てるとき、及び／又は、スケジューリングを行うとき、空きチャネル評価閾値に関する無線デバイスの相違を考慮する様にされる。
【００３４】
他の利点は、以下の詳細な説明から理解される。
【００３５】
本発明の実施形態は、更なる目的とその利点と共に、添付の図と共に以下の詳細な説明を参照することにより、良く理解される。
【図面の簡単な説明】
【００３６】
【図１Ａ】一実施形態による無線ベース媒体上でのパケット送信のスケジューリング方法の例を示す図。
【図１Ｂ】一実施形態による無線ベース媒体へのアクセスの割り当て方法の例を示す図。
【図２】アクセスポイント（ＡＰ）のＷＬＡＮシステムプロトコルスタックの概略を示す図。
【図３】ＣＣＡＴ閾値の概念例を示す図。
【図４】ＳＴＡ毎のＣＣＡＴをどの様に構成して適用するかの例を示す図。
【図５】異なるＣＣＡＴ閾値を有する異なる移動局を含む通信シナリオの例を示す図。
【図６】バッファ状態とＡＰの送信状態の例を示す図。
【図７】プロセッサと関連するメモリとを含む装置及び／又はネットワークノードの例を示すブロック図。
【図８】プロセッサと、コンピュータプログラム及びコンピュータプログラム製品を有する関連するメモリとを含む装置及び／又はネットワークノードの他の例を示すブロック図。
【図９】機能モジュールのグループを含む装置及び／又はネットワークノードの例を示すブロック図。
【図１０】機能モジュールのグループを含む別の装置及び／又はネットワークノードの他の例を示すブロック図。
【発明を実施するための形態】
【００３７】
図面において、同様の、又は、対応する要素には、同じ参照符号を使用する。
【００３８】
図１Ａは、一実施形態による無線ベース媒体上でのパケット送信のスケジューリング方法の例を示している。
【００３９】
第１の態様によると、少なくとも２つの無線通信デバイスに関連付けられたネットワークノードにより実行される、無線ベース媒体上でのパケット送信のスケジューリング方法が提示される。本方法は、
Ｓ１：受信信号レベルを推定することにより無線ベース媒体を検知することと、
Ｓ２：少なくとも２つの無線通信デバイスのそれぞれのために、受信信号レベルと、考慮対象の無線通信デバイスに関連付けられたそれぞれの閾値とを比較することに基づき、無線ベース媒体が送信のためにアクセス可能、或いは、空いているかを評価することと、 
Ｓ３：少なくとも２つの無線通信デバイスのそれぞれについて、無線ベース媒体が送信のためにアクセス可能、或いは、空いているかの評価に基づき、無線ベース媒体上でのパケットの送信をスケジューリングすることと、を含む。
【００４０】
この様に、媒体検知、又は、チャネル検知に基づくスケジューリングが提供される。無線ベース媒体の検知は、チャネル検知又はキャリア検知としても参照される。
【００４１】
ステップＳ２は、少なくとも２つの無線通信デバイスのそれぞれのために、受信信号レベルと、考慮対象の無線通信デバイスに関連付けられた、デバイス毎閾値とも呼ばれる、個別の閾値とに基づき、無線ベース媒体が、送信のためにアクセス可能、或いは、空いているかの評価を実行するとも表現され得る。無線ベース媒体上でのパケットの送信をスケジューリングするステップＳ３は、その後、評価に基づき実行される。
【００４２】
例えば、無線ベース媒体が、送信のためにアクセス可能、或いは、空いているかの判定のため、少なくとも２つの無線通信デバイスのそれぞれは、それぞれの個別の閾値、つまり、デバイス毎閾値に関連付けられている。
【００４３】
例えば、デバイス毎閾値は、デバイス固有情報に基づき得る。
【００４４】
例えば、チャネル又は無線ベース媒体は、受信信号レベルがそれぞれの閾値を超えていないと、送信が自由に行えると判定され得る。
【００４５】
特定の例として、各閾値は、空きチャネル評価閾値である。
【００４６】
一例として、ネットワークノードは、媒体が送信のためにアクセス可能であると判定すると、無線通信デバイスにへのパケット送信をスケジューリングできる。
【００４７】
オプションとして、無線ベース媒体は、検知期間の間に検知され、検知期間に続く送信期間の間、無線通信デバイスの選択された１のためのアクセスが許可される。
【００４８】
一例として、媒体アクセスは、リッスンビフォアトーク（ＬＢＴ）媒体アクセス手順に基づき、スケジューリングは、無線通信デバイスの個別の空きチャネル評価閾値（ＣＣＡＴ）による媒体又はチャネル検知のある種の形式に基づき実行される。言い換えると、異なる無線デバイスは、異なる空きチャネル評価閾値を有する。
【００４９】
例えば、ネットワークノードは、デバイス毎空きチャネル評価閾値（ＣＣＡＴ）とも呼ばれる個別のＣＣＡＴを関連付けられた無線デバイスそれぞれに提供し得る。
【００５０】
一例として、ネットワークノードは、無線デバイスのＣＣＴＡ構成を達成するデータベースから、無線デバイスそれぞれについてのデバイス毎ＣＣＡＴを読み出す。データベースは、ノード内に設けることも、ネットワークノードの外部に設けることもできる。
【００５１】
一例として、個別のデバイス毎ＣＣＡＴは、デバイス特定情報に基づき決定、又は、調整される。
【００５２】
ＣＣＡＴは、チャネル検知又は媒体検知に使用され得る閾値の単なる例であることを理解すべきである。
【００５３】
一例として、ネットワークノードは、スケジューリングノード、アクセスポイント又は無線基地局である。
【００５４】
例えば、方法は、無線ローカルエリアネットワーク（ＷＬＡＮ）及び／又はセルラ通信ネットワークで実行され得る。
【００５５】
ネットワークが、例えば、ＩＥＥＥ８０２.１１  ＷＬＡＮの様なＷＬＡＮであると、ネットワークノードは、例えば、ＷＬＡＮアクセスポイント（ＡＰ）又はアクセスコントローラであり得る。
【００５６】
ＩＥＥＥ８０２.１１を含むＷＬＡＮアプリケーションに関し、物理的キャリア検知及び／又は仮想的キャリア検知は、媒体がビジーであるかアイドルであるかを判定するために異なる電力レベルを使用し得ることを念頭に、提案技術は、物理的キャリア検知及び／又は仮想的キャリア検知に適用できることに留意すべきである。
【００５７】
ネットワークがセルラネットワークであると、セルラネットワークは、例えば、アンライセンスドスペクトラムで動作する様に構成されたロングタームエボリューション（ＬＴＥ）ネットワークの様な３ＧＰＰセルラネットワークであり、ネットワークノードは、ｅＮｏｄｅＢであり得る。
【００５８】
特定の実施形態において、ネットワークノードは、送信ユニットと見做され、無線通信デバイスは、受信ユニットと見做される。これは、例えば、アクセスポイント又は基地局が無線局又は無線デバイスに送信する、下り通信に対応する。他の特定の実施形態において、無線通信デバイスは、上りリンク通信に対応する送信ユニットと見做され得る。
【００５９】
役立つ例として、方法は、例えば、アクセスポイント又は基地局が無線局又は無線デバイスに送信を試みるとき、下りリンク通信のために実行され得る。
【００６０】
特定の例として、評価ステップＳ２は、少なくとも２つの無線通信デバイスそれぞれのために、無線ベース媒体が、無線通信デバイスへの送信のためにアクセス可能であるか、空いているかを判定するために実行される。
【００６１】
一例として、少なくとも２つの無線通信デバイスのそれぞれについて、無線ベース媒体が送信のためにアクセス可能であるか、空いているかの判定に基づいて、無線通信デバイスの選択した１への送信のために無線媒体へのアクセスが割り当てられ得る。
【００６２】
図１Ｂは、一実施形態による無線ベース媒体へのアクセスを割り当てる方法の例を示している。
【００６３】
第２の態様によると少なくとも２つの無線通信デバイスに関連付けられたネットワークノードによって実行される、無線ベース媒体へのアクセスを割り当てる方法が提供され、前記方法は、
Ｓ１１：受信信号レベルを推定することにより無線ベース媒体を検知することと、 
Ｓ１２：少なくとも２つの無線通信デバイスのそれぞれのために、受信信号レベルと、考慮対象の無線通信デバイスに関連付けられた各閾値とを比較することに基づき、無線ベース媒体が送信のためにアクセス可能、或いは、空いているかを判定することと、 
Ｓ１３：少なくとも２つの無線通信デバイスのそれぞれについて、無線ベース媒体が送信のためにアクセス可能、或いは、空いているかの判定に基づき、無線通信デバイスの選択した１つのための無線ベース媒体へのアクセスを割り当てることと、を含む。
【００６４】
一例として、少なくとも２つの無線通信デバイスのそれぞれは、無線ベース媒体が送信のためにアクセス可能、或いは、空いているかを判定するため、デバイ毎閾値とも呼ばれる各個別の閾値に関連付けられている。
【００６５】
例えば、デバイス毎閾値は、デバイス特定情報に基づき得る。
【００６６】
一例として、受信信号レベルが各閾値を超えていないと、チャネルは、送信のために空いていると判定され得る。
【００６７】
特定の例として、各閾値は、空きチャネル評価閾値である。
【００６８】
例えば、無線ベース媒体が送信のために空いていると判定されると、無線通信デバイスに送信のために、無線ベース媒体へのアクセスが割り当てられる。言い換えると、ネットワークノードは、無線ベース媒体が送信のために空いていると判定すると、無線デバイスのための無線ベース媒体へのアクセスを割り当てる。
【００６９】
特定の実施形態例として、媒体は、検知期間の間に検知され、検知期間に続く送信期間の間、無線通信デバイスの選択された１つのためにアクセスが許可される。 
【００７０】
一例として、媒体アクセスは、リッスンビフォアトーク（ＬＢＴ）媒体アクセス手順に基づき得る。アクセス割り当ては、無線通信デバイスの個別の空きチャネル評価閾値（ＣＣＡＴ）による媒体又はチャネル検知に基づき実行され得る。言い換えると、異なる無線デバイスは、異なる空きチャネル評価閾値を有する。 
【００７１】
例えば、ネットワークノードは、デバイス毎空きチャネル評価閾値（ＣＣＡＴ）とも呼ばれる個別のＣＣＡＴを関連付けられた無線デバイスそれぞれに提供し得る。 
【００７２】
一例として、ネットワークノードは、無線デバイスのＣＣＴＡ構成を達成するデータベースから、無線デバイスそれぞれについてのデバイス毎ＣＣＡＴを読み出す。データベースは、ノード内に設けることも、ネットワークノードの外部に設けることもできる。 
【００７３】
一例として、個別のデバイス毎ＣＣＡＴは、デバイス特定情報に基づき決定、又は、調整される。 
【００７４】
ＣＣＡＴは、チャネル検知又は媒体検知に使用され得る閾値の単なる例であることを理解すべきである。 
【００７５】
一例として、ネットワークノードは、アクセスポイント又は無線基地局である。 
【００７６】
上述した様に、方法は、無線ローカルエリアネットワーク及び／又はセルラ通信ネットワークで実行され得る。 
【００７７】
例えば、ネットワークがＷＬＡＮであると、ネットワークノードは、ＷＬＡＮアクセスポイント（ＡＰ）又はアクセスコントローラであり得る。
【００７８】
他の例として、ネットワークが、例えば、アンライセンスドスペクトラムで動作する様に構成されたロングタームエボリューション（ＬＴＥ）ネットワークの様な３ＧＰＰセルラネットワークであると、ネットワークノードは、ｅＮｏｄｅＢであり得る。 
【００７９】
役立つ例として、方法は、例えば、アクセスポイント又は基地局が無線局又は無線デバイスに送信を試みるとき、下りリンク通信のために実行され得る。 
【００８０】
特定の例として、判定するステップＳ１２は、少なくとも２つの無線通信デバイスのそれぞれのために、無線ベース媒体が、無線通信デバイスへの送信のためにアクセス可能であるか、空いているかを判定するために実行される。 
【００８１】
一例として、無線ベース媒体へのアクセスは、少なくとも２つの無線通信デバイスのそれぞれについて、無線ベース媒体が送信のためにアクセス可能であるか、空いているかの判定に基づいて無線通信デバイスの選択した１つへの送信のために割り当てされ得る。
【００８２】
一例として、提案技術を、ＷＡＬＮ技術への特定の参照により説明する。提案技術はこれに限定されず、３ＧＰＰネットワークの様な、セルラ通信網を含む他の通信ネットワーク及びシナリオに適用され得る。
【００８３】
ＷｉＦｉの様な無線ローカルエリアネットワーク（ＷＬＡＮ）は、ＩＥＥＥ８０２.１１規格として標準化されている（例えば、ＩＥＥＥ情報技術規格−システム間通信及び情報交換；ローカル及びメトロポリタンエリアネットワークー特定の要求；パート１１：無線ＬＡＭ媒体アクセス制御（ＭＡＣ）及び物理レイヤ（ＰＨＹ）仕様を参照）。
【００８４】
ＩＥＥＥ８０２.１１標準は、ＳＴＡ物理レイヤ、ＭＡＣレイヤ及び他の側面（ここで、ＷＬＡＮのエンティティであるＳＴＡは、アクセスポイント（ＡＰ）及び／又は無線通信デバイス又は単にデバイスとしても参照される無線端末を参照している。）の規定であって、アクセスポイントとデバイス間の適合及び相互接続性を確実にするための規定をしている。 
【００８５】
ＷＬＡＮは、典型的には、アンライセンスド帯域で動作する。この様に、ＷＡＬＮでの通信は、任意数のエンティティ（公知及び／又は非公知）からの干渉源にさらされる。
【００８６】
ＷＬＡＮの下りリンクスケジューリングは、アクセスポイント（ＡＰ）の様なネットワークノードでのある規定又はアルゴリズムに基づき、データバッファの１つ以上のパケットに、媒体又はチャネルへのアクセスを割り当てる決定及び動作に言及する。下りリンクスケジューリングのアルゴリズムは、標準化対象ではなく、異なるベンダによって変化し、よって、異なるスケジューリング技術が通常使用されている。
【００８７】
キューにあるパケットのスケジューリング及び優先付けは、通常、トラフィック種別（音声、ビデオ、バックグラウンドで行われるトラフィック）、フレーム種別（データ又は制御フレーム）、待ち時間、及び、ユーザの優先度（ゴールド又はブロンズユーザ）を考慮して行われる。
【００８８】
図２は、アクセスポイント（ＡＰ）のＷＬＡＮシステムプロトコルスタックを示している。 
【００８９】
複数のＳＴＡへのデータは、高次レイヤからＬＬＣレイヤにデータフローとして到着する。ＷＬＡＮシステムのＬＬＣレイヤは、ＩＥＥＥ８０２.２規格に適合し、高次レイヤと８０２.１１ＭＡＣレイヤとのインタフェースを提供する。
【００９０】
８０２.１１ＭＡＣレイヤは、ＬＬＣレイヤからのデータフローをＭＰＤＵにカプセル化されるＭＳＤＵとして受信し、バッファする。それは、大きなＭＳＤＵから複数のＭＰＤＵへの断片化能力を提供し、複数のＭＳＤＵのＡ−ＭＳＤＵへのアグリゲーション能力と、複数のＭＰＤＵのＡ−ＭＰＤＵへのアグリゲーション能力等を提供する。Ａ−ＭＳＤＵ及びＡ−ＭＰＤＵは、複数の宛先へのデータを含み得る。
【００９１】
ＭＡＣレイヤは、例えば、ＣＤＭＡ／ＣＡによるＤＣＦにより、チャネルアクセスの獲得に責任を負う。チャネル検知のタスクは、ＰＬＣＰサブレイヤで実行される。ＰＭＤサブレイヤは、信号の変調及び符号化に責任を負う。
【００９２】
干渉に対処するため、ＷＬＡＮ技術は、キャリア検知多重アクセス／衝突回避（ＣＳＭＡ／ＣＡ）に依存する。ＣＳＭＡ／ＣＡアプリケーションは、異なるＷＬＡＮエンティティ間での無線媒体の、効果的、かつ、公平な共用を可能にし、これは、異なる無線アクセス技術（ＲＡＴ）においてさえも可能である。 
【００９３】
ＷＬＡＮにおけるＣＳＭＡ／ＣＡのアプリケーションは、データ送信を試みる各エンティティが、まず、データ送信を実行する前に、共通通信チャネルを検知することを要求する。チャネルが空いていることが検知されると、データ送信は計画通りに実行され、チャネルがビジーであることが検知されると、データ送信は延期又はキャンセルされる。このアプローチは、二重送信（つまり、衝突であり、これは、しばしばデータ損失や再送信に繋がる）を回避、或いは、少なくともその発生を減少させる。 
【００９４】
ＷＬＡＮエンティティ（例えば、アクセスポイント）は、感度閾値とも呼ばれる、空きチャネル評価閾値（ＣＣＡＴ）を有し、チャネルがビジーであるか空いているかを判定するために、検知処理の間、受信信号強度はＣＣＡＴと比較される。典型的には、受信信号強度が閾値より大きいとチャネルは空いていないと判定され、そうでなければ、チャネルが空いていると判定される。図３は、ＣＣＡＴ閾値の概念を示す図である。
【００９５】
ＡＰの様なネットワークノード１００は、ＡＰに関連付けられたＳＴＡの様な、無線デバイス１０−１、１０−２への送信のためにチャネル検知を実行する際、共通ＣＣＡＴを通常使用する。
【００９６】
ＰＬＣＰサブレイヤは、典型的には、空きチャネル評価（ＣＣＡ）を実行して結果をＭＡＣに報告するので、ＣＣＡ閾値は、通常、ＰＬＣＰサブレイヤに設定される。
【００９７】
アクセスポイントのＣＣＡＴの構成は、干渉回避とチャネル利用とのトレードオフである。低いＣＣＡＴ値は、検知領域を拡大させ、多くの近接する場所にいる他のＷＬＡＮエンティティとの同時送信を回避させ、典型的には、アクセスポイントに関連付けられているデバイスへの干渉を低減させ、かつ、隣接アクセスポイント及びそれに関連付けられているデバイスへの干渉を低減させる。しかしながら、低いＣＣＡＴは、無線チャネルの再利用の可能性を低くする。一方、高いＣＣＡＴ値は、検知領域を狭くし、よって、衝突の可能性を増大させるが、無線チャネルの再利用の程度を大きくする。この様に、ＣＣＡＴ値に拘らず典型的には不利な点もある。
【００９８】
キャリア検知多重アクセス／衝突回避（ＣＳＭＡ／ＣＡ）が、ここでは、リッスンビフォアトーク方法の例として使用されているが、リッスンビフォアトーク（又は送信前検知）の原理の応用を伴う任意の無線通信に、種々の実施形態を等しく適用できる。さらに、空きチャネル評価閾値との言葉は、リッスンビフォアトーク又は媒体アクセスの同じ原理のアプリケーションにおいて、任意の無線通信における潜在的に異なる名前であるが同じ目的の任意の閾値を含む（除外しない）意味である。 
【００９９】
一例として、アクセスポイントの様なネットワークノードは、送信前検知又はリッスンビフォアトークの原理のアプリケーションを用いる通信規格について動作する様に構成され、アクセスポイントに関連付けられた１つ以上の無線通信デバイスと通信する様に構成される。
【０１００】
特定の例として、１つ以上の無線通信デバイスそれぞれのために、各空きチャネル評価閾値は、無線通信デバイスの１つ以上のパラメータに基づき無線通信デバイスのために維持され（この様に、各無線通信デバイスの１つ以上のパラメータに基づき無線通信デバイスそれぞれの空きチャネル評価閾値を維持する）、各空きチャネル評価閾値は、無線通信デバイスへの意図された送信に関するチャネル検知のアプリケーションのためのである。
【０１０１】
無線通信デバイスの１つ以上のパラメータは、例えば、
無線通信デバイスが受信するアクセスポイントから送信される信号の受信信号強度（又は電力等）
アクセスポイントが受信する無線通信デバイスから送信される信号の受信信号強度（又は電力等） 
無線通信デバイスの地理的位置の表示 
干渉源の地理的位置の表示
無線通信デバイスの目標スループット
アクセスポイントと無線通信デバイスとの間の通信リンクの品質（例えば、ビットエラーレート、パケットエラーレート等）の１つ以上を含む。
【０１０２】
地理的位置は、地理的ポイント（例えば、特定の地理的座標を有する）及び／又は地理的領域（地理的ポイントの集合を含む）として定義され得る。地理的座標は、例えば、無線通信デバイス（又は干渉源）からアクセスポイントまでの距離、及び／又は、アクセスポイントが無線通信デバイス（又は干渉源）を見る角度を含み得る。
【０１０３】
幾つかの実施形態において、各空きチャネル評価閾値は、 
可能な閾値の最小値 
受信信号強度からマージン値を減じた値の最大値に決定される。
【０１０４】
幾つかの実施形態によると、マージン値は、干渉源が第１地理的位置にあると第１の値に設定され、干渉源が第２地理的位置にあると第２の値に設定され、第１の値は、第２の値より大きく、第１の地理的位置は、第２の地理的位置より無線通信デバイスの地理的位置に近い。
【０１０５】
幾つかの実施形態において、測定されたスループットが目標スループットより高いと、各空きチャネル評価閾値は増加され、測定されたスループットが目標スループットより低いと、各空きチャネル評価閾値は減少され得る。
【０１０６】
幾つかの実施形態によると、各空きチャネル評価閾値を維持することは、無線通信デバイスがアクセスポイントに関連付けられたとき、各空きチャネル評価閾値をディフォルト値に初期化することを含む。
【０１０７】
幾つかの実施形態において、各空きチャネル評価閾値を維持することは、無線通信デバイスから１つ以上のパラメータの少なくとも１つを示すパラメータ報告を受信することと、受信したパラメータ報告に基づき各空きチャネル評価閾値を更新することと、を含む。
【０１０８】
幾つかの実施形態において、各空きチャネル評価閾値を維持することは、パラメータ報告をトリガするため、無線通信デバイスにパラメータ要求を送信することを更に含む。
【０１０９】
幾つかの実施形態において、各空きチャネル評価閾値を維持することは、閾値データベースに各空きチャネル評価閾値を格納することを含む。
【０１１０】
幾つかの実施形態において、維持されている各空きチャネル評価閾値に基づいてチャネルを検知することは、受信信号レベルと維持されている各空きチャネル評価閾値とを比較することと、受信信号レベルが維持されている各空きチャネル評価閾値を超えていないと、チャネルは自由に送信できると判定することと、を含む。
【０１１１】
特定の実施形態において、ＡＰの様なネットワークノードは、ＳＴＡの様な関連付けられた無線デバイスそれそれのための、個別のＣＣＡＴを有することが想定される。
【０１１２】
提案技術は、ＡＰ、ＳＴＡ及びＣＣＡＴを参照して説明されているが、提案技術は、もちろんこれに限定されない。 
【０１１３】
例えば、ＳＴＡ毎の個別のＣＣＡＴは、ユーザスループット及びシステム効率を最適化するため、ＳＴＡ特有の情報に基づき動的に調整され得る。
【０１１４】
言い換えると、提案技術は、各関連ＳＴＡに個別のＣＣＡＴを適用できる。データベースにＳＴＡ毎のＣＣＡＴの問い合わせを行い、チャネル検知に適用する、追加のステップ、つまりＣＣＡＴ構成が、チャネル検知を行うエンティティに導入される。
【０１１５】
図４は、どの様に、ＳＴＡ毎のＣＣＡＴが構成され適用されるかの例を示している。
【０１１６】
この例において、ＳＴＡ毎のＣＣＡＴはデータベースに格納・維持されている。通常、ＰＬＣＰサブレイヤの部分である検知を行うエンティティにチャネル検知要求が渡されるとき、検知要求は、データを送信する意図があるＳＴＡの識別子、つまり、ＳＴＡ  Ｎを伴う。ＣＣＡＴ構成要素は、ＳＴＡ毎のＣＣＡＴ情報を保持するデータベースに要求を送信し、応答を受信する。ＳＴＡの問い合わせされたＣＣＡＴは、チャネルが空きでないかを決定するために適用される。
【０１１７】
より一般的には、例えば、ネットワークノードは、デバイス毎閾値を保持するデータベースに無線デバイスの識別子を提示する情報を含む要求を送信し、対応する閾値を含む応答を受信することで、考慮対象の無線デバイスそれぞれの各閾値を読み出す。データベースは、ノードの内部、或いは、ネットワークノード外部にあり得る。動的な調整に必要な情報の様々な種別に応じて、幾つかのメカニズムが情報の交換に適用され得る。
ＡＰは、ＳＴＡの幾つかのパラメータを常に監視する。
ＡＰが、ＳＴＡに報告を要求する。
ＡＰが、ＳＴＡのトリガ条件を設定し、ＳＴＡは、条件を満たすとＡＰに報告を行う。
【０１１８】
ＳＴＡ毎のＣＣＡＴの利用は、システム効率とユーザスループットの改良という利点を明確にする。異なるＳＴＡのためのＣＣＡＴの異なる値は、ＡＰで検知される同じレベルの干渉環境下において、異なるＳＴＡへのデータ送信の機会が、異なることを意味する。 
【０１１９】
例えば、ＡＰの様なネットワークノード１００がＳＴＡの様な２つの無線デバイス１０−１、１０−２宛のデータをバッファに有し、図５に示す様にＣＣＡＴ  ＳＴＡ１＜ＣＣＡＴ  ＳＴＡ２であるものとする。ここで、検知された干渉レベル（ＰＩＮＴ）（このＡＰに属さず、他のＡＰに接続している、ＳＴＡ  ＩＮＴと標記しているＳＴＡから生じている）が、２つのＣＣＡＴの間、つまり、ＣＣＡＴ  ＳＴＡ１＜ＰＩＮＴ＜ＣＣＡＴ  ＳＴＡ２である。 
【０１２０】
この場合、ＳＴＡ  ＩＮＴの様な干渉を与えている無線デバイス１０−ＩＮＴが送信していると、ＡＰは、ＳＴＡ１  １０−１に送信する場合にはチャネルがビジーであると見做し、ＳＴＡ２  １０−２に送信する場合にチャネルが空いていると見做す。ＳＴＡ１へのチャネルアクセス時間にスケジュールされると無駄であり、システム効率及びユーザサービス品質が低くなる。
【０１２１】
ＡＰがＷＬＡＮシステムの複数のＳＴＡに送信されるデータをバッファに有する場合、データのスケジューリングは、通常、低次レイヤの情報を考慮せず、よって、システム効率は最適にはならない。
【０１２２】
限定しない特定例によると、異なるＳＴＡが異なるＣＣＡＴを有し得るとの事実を考慮し、ＷＬＡＮシステムでのスケジューリングを高める方法を提供する。ＡＰの様なネットワークノードは、現在の無線環境を分析し、異なるＳＴＡが有するＣＣＴＡを評価し、無線チャネルへのアクセスを有するＳＴＡへのパケット送信をスケジュールする。
【０１２３】
本方法は、他の競合ベースのシステムにも適用でき、ＷＬＡＮはここでは単なる例である。
【０１２４】
一例として、提案技術は、無線チャネルへのアクセス機会を増加させるため、ＷＬＡＮシステムの様な通信ネットワークにおけるスケジューリングを良くする方法を提供する。本方法は、ＷＬＡＮデバイス、例えば、ＡＰの様なネットワークノードで実行され得る。ＷＬＡＮ及びＡＰは例示であり、本方法は、既に述べた様に、他のシステム及び方法に適用され得る。
【０１２５】
ＷＬＡＮシステムにおいて、例えば、ＣＣＡＴは、既に述べた様に、無線チャネルがビジーであるか、データ送信のためにアクセス可能であるかを識別するために提供される。ＡＰ内のＣＣＡＴは、異なる通信相手により異なり得る。 
【０１２６】
図５に示す様に、ＳＴＡ２はＡＰにより近く、ＡＰからＳＴＡ２への送信は、ＳＴＡ  ＩＮＴが同時に送信を行っていても成功できるので、ＳＴＡ２に対するＣＣＡＴは、ＳＴＡ１に対するＣＣＡＴより高い値に構成される。一方、ＳＴＡ１に対するＣＣＡＴは、より低い値に設定され、ＳＡＴ  ＩＮＴが送信しているとき、ＡＰからＳＴＡ１への送信は可能ではない。
【０１２７】
この簡単なシナリオにおいて、ＡＰは送信バッファを有し、ＳＴＡ１及びＳＴＡ２両方のためのパケットで満たされていることを想定した。"Ｓ１  Ｐ１"は、ＳＴＡ１に送信される第１パケットを示す。
【０１２８】
ＳＴＡ  ＩＮＴの状態は、以下の表に示されているものが想定される。
【０１２９】
【表１】
0006469831.tif 000002
【０１３０】
ＳＴＡ  ＩＮＴがアクティブであると、つまり、送信していると、ＡＰからＳＴＡ２への送信のみが無線チャネルへのアクセスを有する。ＳＴＡ  ＩＮＴがインアクティブであると、つまり、送信していないと、ＡＰは、ＳＴＡ１又はＳＴＡ２に送信できる。 
【０１３１】
ＡＰのバッファ状態及び送信状態は、限定しない図６に示されている。
【０１３２】
ＡＰは送信前にチャネルを検知する。時刻ｔ１で、ＡＰは、ＳＴＡ  ＩＮＴからの送信を検知し、ＳＴＡ１への送信はチャネルアクセスを有さないので、バッファ内のＳＴＡ２の第１パケット、つまり、Ｓ２  Ｐ１を選択して送信する。同様に、時刻ｔ２において、ＳＴＡ  ＩＮＴは依然アクティブであるため、Ｓ２  Ｐ２が送信のために選択される。時刻ｔ３で、ＡＰは、ＳＴＡ  ＩＮＴがインアクティブ、つまり、ＳＴＡ  ＩＮＴからの干渉がないことを検知し、ＡＰはＳＴＡ１又はＳＴＡ２にパケットを送信できる。バッファ内の最も古いパケットは、Ｓ１  Ｐ１であるので、このパケットが送信される。同様に、時刻ｔ４で、両ＳＴＡへの送信がチャネルアクセスを有するので、バッファ内の最も古いパケットＳ１  Ｐ２が送信される。
【０１３３】
提案技術なしでは、バッファ内の最も古いパケットが通常送信される。ＳＴＡ  ＩＮＴはｔ１からｔ３までアクティブであるので、ＡＰは、ＳＴＡ  ＩＮＴがインアクティブになるまで、ＳＴＡ１への送信を待機させる必要がある。この場合、ｔ１からｔ３までのチャネル時間が無駄になる。
【０１３４】
少なくとも１つの実施形態は、無線リソース利用の点で、従来のものより重大な利益を提供する。ＣＳＭＡ−ＣＡの様な従来の解決策では、チャネルがビジーであることが発見されると、送信時間は、バックオフ手順のために"無駄"になるが、本ケースでは、ＡＰの様なネットワークノードは、適切な無線状態のＳＴＡへのパケットをスケジューリングして空間利用を最大化するため異なるＳＴＡを差別化する利点を利用し、多くの時間期間において媒体へのアクセスを可能にする。
【０１３５】
提案技術は、主なスケジューリング機構として、先入れ先出し、或いは、独自のスケジューリング優先度を使用する、事前スケジューリングに関するアドオンとして使用され得る。
【０１３６】
ここで、非限定用語"無線通信デバイス"は、ユーザ装置、移動局、移動電話、セルラ電話、無線通信能力を有するパーソナルデジタルアシスタント（ＰＤＡ）、スマートフォン、内部又は外部の移動ブロードバンドモデムを有するラップトップコンピュータ若しくはパーソナルコンピュータ（ＰＣ）、無線通信能力を有するタブレットＰＣ，ターゲットデバイス、デバイス・トゥ・デバイスＵＥ，機械型ＵＥ若しくはマシン・トゥ・マシン通信能力を有するＵＥ、ｉＰＡＤ、ユーザサイト装置（ＣＰＥ）、ラップトップ組込み型装置（ＬＥＥ）、ラップトップ実装装置（ＬＭＥ）、ＵＳＢドングル、携帯型電気無線通信デバイス、無線通信能力を有するセンサデバイス等を参照する。特に、用語"ＵＥ"及び用語"無線デバイス"は、セルラ若しくは移動通信システムの無線ネットワークノードや、セルラ若しくは移動通信システムの任意の関連通信規格による無線通信のための無線回路を有する任意のデバイスと通信する任意の種類の無線デバイスを含む、非制限な用語として解釈されるべきである。
【０１３７】
ここで、非限定用語"ネットワークノード"は、基地局や、ネットワークコントローラ、無線ネットワークコントローラ、基地局コントローラ、スケジューリングノード等のネットワーク制御ノードを参照する。特に、用語"基地局"は、ノードＢ、発展型ノードＢ（ｅＮＢ）、マクロ／マイクロ／ピコ無線基地局、フェムト基地局とも呼ばれるホーム基地局、中継ノード、中継器、無線アクセスポイント、基地送受信局（ＢＴＳ）、１つ以上のリモート無線ユニットを制御する無線制御ノード等の様な、規格化された基地局を含む、様々な種別の無線基地局を含み得る。
【０１３８】
ここで説明する方法及びデバイスは、種々の方法で組み合わせ、かつ、再構成され得る。
【０１３９】
例えば、実施形態は、ハードウェアや、適切な処理回路で実行されるソフトウェアや、それらの組み合わせで実現され得る。
【０１４０】
ここに記載するステップ、機能、手順、モジュール及び／又はブロックは、個別回路や、一般用途向電気回路や特定用途向回路の両方を含む集積回路技術の様な、任意の従来技術で使用するハードウェアで実現され得る。
【０１４１】
特定例は、適切に構成されたデジタル信号プロセッサや、特定機能又はアプリケーション特定集積回路（ＡＳＩＣ）を実現するために相互接続される個別論理ゲートの様な公知の電気回路の１つ以上を含む。
【０１４２】
また、ここに記載するステップ、機能、手順、モジュール及び／又はブロックの少なくとも幾つかは、１つ以上のプロセッサ又はプロセッサユニットの様な適切な処理回路により実行されるコンピュータプログラムの様なソフトウェアで実現され得る。 
【０１４３】
処理回路の例は、１つ以上のプロセッサ、１つ以上のデジタル信号プロセッサ（ＤＳＰ），１つ以上の中央処理ユニット（ＣＰＵ）、ビデオアクセラレーションハードウェア、及び／又は、１つ以上のフィールドプログラマブルゲートアレイ（ＦＰＧＡ）や、１つ以上のプログラマブルロジックコントローラ（ＰＬＣ）の様な任意の適切なプログラム可能論理回路を含む。
【０１４４】
提案技術が実現される任意の従来デバイス又はユニットの一般的な処理能力を再利用することもできる。既存ソフトウェアの再プログラミングや、新たなソフトウェアコンポーネントの追加により、既存ソフトウェアを再利用することもともできる。
【０１４５】
第３の態様によると、少なくとも２つの無線通信デバイスに関連付けられたネットワークノードの装置であって、無線ベース媒体上でのパケット送信をスケジュールする様に構成された装置が提供される。装置は、受信信号レベルを推定することにより無線ベース媒体を検知する様に構成される。装置は、少なくとも２つの無線通信デバイスのそれぞれのために、受信信号レベルと、考慮対象の無線通信デバイスに関連付けられた各閾値とを比較することに基づき、無線ベース媒体が送信のためにアクセス可能、或いは、空いているかを評価する様にも構成される。装置は、少なくとも２つの無線通信デバイスのそれぞれについて、無線ベース媒体が、送信のためにアクセス可能、或いは、空いているかの評価に基づき、無線ベース媒体上でのパケットの送信をスケジューリングする様に更に構成される。
【０１４６】
第４の態様によると、少なくとも２つの無線通信デバイスに関連付けられたネットワークノードの装置であって、無線ベース媒体へのアクセスを割り当てる様に構成された装置が提供される。装置は、受信信号レベルを推定することにより無線ベース媒体を検知する様に構成される。装置は、少なくとも２つの無線通信デバイスのそれぞれのために、受信信号レベルと、考慮対象の無線通信デバイスに関連付けられた各閾値とを比較することに基づき、無線ベース媒体が、送信のためにアクセス可能、或いは、空いているかを判定する様にも構成される。装置は、少なくとも２つの無線通信デバイスのそれぞれについて、無線ベース媒体が、送信のためにアクセス可能、或いは、空いているかの判定に基づき、無線通信デバイスの選択した１つのための無線ベース媒体へのアクセスを割り当てる様に更に構成される。
【０１４７】
一例とし、少なくとも２つの無線通信デバイスのそれぞれは、無線ベース媒体が、送信のためにアクセス可能、或いは、空いているかの判定のためのそれぞれの個別の閾値をに関連付けられている。
【０１４８】
例えば、各閾値は、デバイス特定情報に基づくデバイス毎閾値である。
【０１４９】
特定の例として、装置は、リッスンビフォアトーク（ＬＢＴ）媒体アクセス手順に基づき媒体アクセスを行う様に構成され、無線デバイスの個々の空きチャネル評価閾値（ＣＣＡＴ）での媒体又はチャネル検知に基づきスケジューリング又はアクセス割り当てを行う様に構成される。
【０１５０】
オプションとして、装置は、各関連付けられた無線デバイスのために、デバイス毎ＣＣＡＴとも呼ばれる、個別の空きチャネル評価閾値（ＣＣＡＴ）を維持するデータベースに接続して動作する様に構成され得る。図４が参照され得る。
【０１５１】
一例として、装置は、無線デバイスそれぞれのために、無線デバイスのＣＣＡＴを有するデータベースからデバイス毎閾値を読み出す様に構成され得る。
【０１５２】
オプションの実施形態として、装置は、デバイス特定情報に基づき個々のデバイス毎ＣＣＡＴを判定又は調整する様に構成される。
【０１５３】
より一般的に、装置は、例えば、無線デバイスそれぞれについて、デバイス毎閾値を保持するデータベースに対応する要求を送信し、各閾値を含む応答を受信する様に構成される。 
【０１５４】
特定の例として、装置は、少なくとも２つの無線通信デバイスのそれぞれについて、無線ベース媒体が、無線通信デバイスへの送信のためにアクセス可能、或いは、送信が自由に行えるかを評価又は判定する様に構成される。  
【０１５５】
一例として、装置は、無線通信デバイスの選択した１つへの送信のために、無線ベース媒体へのアクセスを割り当てる様に構成され得る。
【０１５６】
第５の態様によると、第３の態様による装置を含むネットワークノードが提供される。 
【０１５７】
第６の態様によると、第４の態様による装置を含むネットワークノードが提供される。 
【０１５８】
一例として、ネットワークノードは、スケジューリングノード、アクセスポイント又は無線基地局であり得る。
【０１５９】
図７は、プロセッサ１１０と関連メモリ１２０を含む、装置及び／又はネットワークノード１００の例を示すブロック図である。
【０１６０】
特定の例として、装置及び／又はネットワークノードは、プロセッサ１１０とメモリ１２０と、を備えており、メモリ１２０は、プロッサにより実行可能な命令を含み、よって、装置／プロセッサは、上述した機能、ステップ及び／又は動作を実行する様に動作する。より詳しくは、メモリ１２０は、プロッサ１１０により実行可能な命令を含み、プロッサ１１０は、パケット送信をスケジュール、或いは、無線ベース媒体へのアクセスを割り当てる様に動作する。
【０１６１】
この特定の例において、上述したステップ、機能、手順、モジュール及び／又はブロックの少なくとも幾つかは、１つ以上のプロセッサ１１０を含む処理回路による実行のため、メモリ１２０にロードされるコンピュータプログラムにより実現される。プロセッサ１１０及びメモリ１２０は、通常のソフトウェア実行を可能にするため相互に接続される。入力パラメータ及び／又は結果としての出力パラメータの様な関連データの入出力を可能にするため、付加的な入出力デバイスが、プロセッサ及び／又はメモリに相互接続され得る。
【０１６２】
用語"プロセッサ"は、特定の処理、判定又は計算タスクを実行するためのプログラムコード又はコンピュータプログラム命令を実行可能な任意のシステム又はデバイスでの一般的に意味に解釈されるべきである。
【０１６３】
１つ以上のプロッサを含む処理回路は、コンピュータプログラムを実行するとき、上述した良く定義された処理タスクを実行する様に構成される。
【０１６４】
処理回路は、上述したステップ、機能、手順及び／又はブロックを実行するのみならず、他のタスクも実行し得る。
【０１６５】
メモリ１２０は、例えば、１つ以上のデータバッファ又はデータベースに組織化されたデータも格納し得る。例えば、上述したデバイス毎閾値を保持するデータベースは、メモリ１２０に実装し得る。
【０１６６】
オプションとして、無線通信デバイス及び／又はネットワークノードは、通信回路１３０を含み得る。通信回路１３０は、ネットワークの他のデバイス及び／又はネットワークノードとの有線及び／又は無線通信の機能を含み得る。特定の例として、無線デバイス（ＵＥ）、ネットワークノードは、情報の送信及び／又は受信を含む、１つ以上の他のノードと通信をする無線回路を含み得る。通信回路１３０は、プロセッサ１１０及び／又はメモリ１２０と相互接続され得る。
【０１６７】
図８は、プロセッサと、コンピュータプログラム、コンピュータプログラム製品を有する関連メモリと、を含む、装置及び／又はネットワークノードの他の例を示すブロック図である。
【０１６８】
第７の態様によると、命令を含むコンピュータプログラム１２５、１３５が提供され、命令は、少なくとも１つのプロセッサ１１０で実行されると、少なくとも１つのプロセッサに、
無線ベース媒体を検知することで取得した、推定受信信号レベルを示す情報を読み出すことと、 
少なくとも２つの無線通信デバイスそれぞれのために、受信信号レベルと、考慮対象の無線通信デバイスに関連付けられた各閾値とを比較することに基づき、無線ベース媒体が、送信のためにアクセス可能、或いは、空いているかを評価することと、 
少なくとも２つの無線通信デバイスそれぞれについて、無線ベース媒体が、送信のためにアクセス可能、或いは、空いているかの評価に基づき、無線ベース媒体上でのパケットの送信をスケジューリングすることと、を行わせる。 
【０１６９】
第８の態様によると、命令を含むコンピュータプログラム１２５、１３５が提供され、命令は、少なくとも１つのプロセッサ１１０で実行されると、少なくとも１つのプロセッサ１１０に、 
無線ベース媒体を検知することで取得した、推定受信信号レベルを示す情報を読み出すことと、 
少なくとも２つの無線通信デバイスそれぞれのために、受信信号レベルと、考慮対象の無線通信デバイスに関連付けられた各閾値とを比較することに基づき、無線ベース媒体が、送信のためにアクセス可能、或いは、空いているかを判定することと、
少なくとも２つの無線通信デバイスそれぞれについて、無線ベース媒体が、送信のためにアクセス可能、或いは、空いているかの判定に基づき、無線通信デバイスの選択した１つのための無線ベース媒体へのアクセスを割り当てることと、を行わせる。 
【０１７０】
第９の態様によると、第７の態様又は第８の態様によるコンピュータプログラム１２５、１３５を含む媒体１２０、１３０が提供される。 
【０１７１】
提案技術は、コンピュータプログラムを含む媒体を提供し、媒体は、電子信号、光信号、電磁信号、磁気信号、電気信号、無線信号、マイクロ波信号、又は、コンピュータ可読記憶媒体のいずれか１つである。
【０１７２】
例えば、ソフトウェア又はコンピュータプログラム１２５,１３５は、コンピュータプログラム製品として実現され、コンピュータプログラム製品は、通常、コンピュータ可読記憶媒体１２０、１３０や、特定の不揮発性媒体に担持又は格納されている。コンピュータ可読記憶媒体は、リードオンリーメモリ（ＲＯＭ）、ランダムアクセスメモリ（ＲＡＭ）、コンパクトディスク（ＣＤ）、デジタル多用途ディスク（ＤＶＤ）、ブルーレイディスク、ユニバーサルシリアルバス（ＵＳＢ）メモリ、ハードディスクドライブ（ＨＤＤ）格納デバイス、フラッシュメモリ、磁気テープ、又は、任意の他の従来のメモリデバイスの様な、取り外し可能、或いは、取り外しできない１つ以上のメモリデバイスを含み得る。コンピュータプログラムは、コンピュータ又は等価な処理デバイスの動作メモリ１２０にロードされ、その処理回路１１０により実行される。図８が参照される。
【０１７３】
ここでの図は、よって、１つ以上のプロセッサにより実行されるときのコンピュータフロー図と見做され得る。対応する装置及び／又はネットワークノードは、機能モジュールのグループと定義され、プロセッサにより実行される各ステップは、機能モジュールに対応する。この場合、機能モジュールは、プロッサ上で実行されるコンピュータプログラムとして実現され得る。装置及び／又はネットワークノードは、機能モジュールのグループとして定義され、機能モジュールは、少なくとも１つのプロセッサで実行されるコンピュータプログラムとして実現され得る。
【０１７４】
メモリのコンピュータプログラムは、プロセッサにより実行されると、上述したステップ及び／又はタスクの少なくとも一部分を実行する様に構成された適切な機能モジュールを構成し得る。
【０１７５】
図９は、機能モジュールのグループを含む装置及び／又はネットワークノードの例を示すブロック図である。
【０１７６】
第１０の態様によると、無線ベース媒体上でのパケット送信をスケジュールするための、少なくとも２つの無線通信デバイスに関連付けられる様に構成されたネットワークノード及び／又は装置２００が提供される。ネットワークノード２００は、 
無線ベース媒体を検知することで取得した、推定受信信号レベルを示す情報を読み出す読出しモジュール２１０と、 
少なくとも２つの無線通信デバイスそれぞれのために、受信信号レベルと、考慮対象の無線通信デバイスに関連付けられた各閾値とを比較することに基づき、無線ベース媒体が送信のためにアクセス可能、或いは、空いているかを評価する評価モジュール２２０と、 
少なくとも２つの無線通信デバイスそれぞれについて、無線ベース媒体が送信のためにアクセス可能、或いは、空いているかの評価に基づき、無線ベース媒体上でのパケットの送信をスケジューリングするスケジューリングモジュール２３０と、を備えている。 
【０１７７】
図１０は、機能モジュールのグループを含む他の装置及び／又はネットワークノードの例を示すブロック図である。
【０１７８】
第１１の態様によると、無線ベース媒体へのアクセスを割り当てるためえの、少なくとも２つの無線通信デバイスに関連付けられる様に構成されたネットワークノード及び／又は装置３００が提供される。ネットワークノード３００は、 
無線ベース媒体を検知することで取得した、推定受信信号レベルを示す情報を読み出す読出しモジュール３１０と、 
少なくとも２つの無線通信デバイスそれぞれのために、受信信号レベルと、考慮対象の無線通信デバイスに関連付けられた各閾値とを比較することに基づき、無線ベース媒体が、送信のためにアクセス可能、或いは、空いているかを判定する判定モジュール３２０と、 
なくとも２つの無線通信デバイスそれぞれについて、無線ベース媒体が、送信のためにアクセス可能、或いは、空いているかの判定に基づき、無線通信デバイスの選択した１つのための無線ベース媒体へのアクセスを割り当てる割当てモジュール３３０と、を備えている。 
【０１７９】
図９又は図１０のモジュールは、ハードウェアにより、又は、大部分をハードウェアにより実現することもできる。ソフトウェアとハードウェアの程度は、純粋に実装における選択である。
【０１８０】
上述した実施形態は、単なる例示であり、提案技術は、上述した実施形態に限定されない。当業者は、添付の特許請求で定義される発明の範囲を逸脱することなく、実施形態の種々の修正や組み合せを行い得ることを理解すべきである。特に、種々の実施形態の種々の解決策は、技術的に可能な他の構成と組み合わせることができる。
【０１８１】
略語
ＷＬＡＮ：無線ローカルエリアネットワーク
ＡＰ：アクセスポイント
ＳＴＡ：局
ＬＢＴ：リッスンビフォアトーク
ＬＴＥ：ロングタームエボリューション
ＬＬＣ：論理リンク制御
ＭＡＣ：媒体アクセス制御
ＰＨＹ：物理
ＰＭＤ：物理媒体依存
ＰＬＣＰ：物理レイヤコンバージェンスプロトコル
ＭＳＤＵ：ＭＡＣサービスデータユニット
ＭＰＤＵ：ＭＡＣプロトコルデータユニット
Ａ−ＭＳＤＵ：アグリゲーティッドＭＳＤＵ
Ａ−ＭＰＤＵ：アグリゲーティッドＭＰＤＵ
ＤＣＦ：分散調整機能
ＣＳＭＡ／ＣＡ：キャリア検知多重アクセス／衝突回避
ＣＣＡＴ：空きチャネル評価閾値
【０１８２】
引用文献
１：ＵＳ２０１０／２２６３４４
２：ＵＳ２０１３／０１７７９４
３：ＵＳ２００７／２８６１２２
【図１Ａ】
0006469831.tif 000003
【図１Ｂ】
0006469831.tif 000004
【図２】
0006469831.tif 000005
【図３】
0006469831.tif 000006
【図４】
0006469831.tif 000007
【図５】
0006469831.tif 000008
【図６】
0006469831.tif 000009
【図７】
0006469831.tif 000010
【図８】
0006469831.tif 000011
【図９】
0006469831.tif 000012
【図１０】
0006469831.tif 000013